(57)【特許請求の範囲】
【請求項１】
エレベータ乗場から昇降路側への奥行き方向に沿って延在する取付金具を備えるエレベータ乗場の敷居取付装置において、
前記取付金具は、
垂直方向に軸線が延びるアンカーボルトを介して基部側が建築躯体に固定される第一プレート金具と、
第一プレート金具の先端側に基端側が重合され、先端側の水平面に敷居の取付面全面が密着した状態で固定ボルトを介して敷居が固定される第二プレート金具と、
垂直方向に軸線が延び、第一プレート金具と第二プレート金具の重合部分で締結する連結ボルトと、を備え、
第一プレート金具の基端側には、アンカーボルトが貫通すると共に第一プレート金具を任意の位置で固定可能な奥行き方向に沿って長径な長孔が形成され、
第一プレート金具と第二プレート金具の重合部分の少なくとも一方には、連結ボルトが貫通すると共に第一プレート金具と第二プレート金具とを任意の位置で締結可能な奥行き方向に沿って長径な長孔が形成されていることを特徴とするエレベータ乗場の敷居取付装置。
【請求項２】
請求項１に記載のエレベータ乗場の敷居取付装置であって、
第一プレート金具には、アンカーボルトの近傍で且つアンカーボルトを挟む位置に垂直方向に軸線が延びる高さ調節用のジャッキボルトが設けられていることを特徴とするエレベータ乗場の敷居取付装置。
【請求項３】
請求項１又は２のいずれか１項に記載のエレベータ乗場の敷居取付装置であって、
第一プレート金具と第二プレート金具の重合部分の他方には、連結ボルトが貫通すると共に第一プレート金具と第二プレート金具とを任意の位置で締結可能なネジ孔が奥行き方向に沿って複数配列されていることを特徴とするエレベータ乗場の敷居取付装置。
【発明の詳細な説明】
【０００１】
【発明の属する技術分野】
本発明は、エレベータ乗場に設置されて乗降口を開閉するためのドアを案内する敷居の取付装置に関する。
【０００２】
【従来の技術】
従来から、エレベータ乗場には、その乗降口を開閉するスライド式のドアが設けられている。また、このドアは、その下端を敷居によって案内される。
【０００３】
図６は、エレベータ乗場の概略構成を示し（例えば、特開平５−１７０９１号公報、特開平７−３３０２６０号参照）、エレベータの乗場を昇降路側から見た背面図である。
【０００４】
図６において、１及び２は所定間隔を存して対向する縦枠、３は縦枠１，２の上端間に架設された上枠である。これら各枠１〜３は乗降口を形成する所謂三方枠を構成している。乗降口は、互いに接近・離反する左右一対のドア４，５によって開閉される。尚、乗降口を開閉するドアには、同方向にスライド変位する二枚若しくは三枚構成のものや、互いに接近離反する左右各二枚一対構成のもの等もあるが、ここでは省略する。
【０００５】
ドア４，５の各上端には、ドア開閉方向に略水平に延在するドアレール６を滑動するドアハンガー７，８が固定されている。尚、ドアレール６は、昇降路側の建築躯体縦壁面にブラケット９を介して固定されたポケット１０に設けられており、これらドアレール６、ドアハンガー７，８、ブラケット９、ポケット１０によってドア４，５のスライド駆動機構が構成されている。
【０００６】
一方、ドア４，５の各下端は敷居１１によって案内される。この敷居１１は敷居取付装置１２により昇降路壁に固定されている。尚、左右の縦枠１，２は、その下端が敷居１１に固定されている。
【０００７】
図５は、このようなエレベータ乗場に設けられる敷居１１並びに敷居取付装置１２の具体的な構成の一例を示し（例えば、特開平５−７８０７３号公報、特開平５−１３９６７４号公報、特開平５−１９３８８０号公報等参照）、要部の拡大縦断面図である。
【０００８】
図５において、敷居１１は、上方に開放するドア案内溝１３ａを有する敷居本体１３と、この敷居本体１３一側面並びに下面を支持する断面略Ｌ字形状の板材１４とを備えている。
【０００９】
敷居取付装置１２は、略Ｌ字形状（上下逆向き）をなすアングル材からなる支持部材１５と、この支持部材１５を建築躯体３０の縦壁面３０ａに固定する上下一対のアンカーユニット１６と、敷居１１を支持部材１５に固定するためのボルト１７及びナット１８とを備えている。
【００１０】
アンカーユニット１６は、縦壁面３０ａに根元部が埋設されるアンカーボルト１９と、アンカーボルト１９に螺着されて支持部材１５を固定するナット２０及びスプリングワッシャ２１と、支持部材１５に対するアンカーボルト１９の位置を上下で調整可能とするプレート２２とを備えている。
【００１１】
このような構成においては、建築躯体３０の縦壁面３０ａにアンカーユニット１６を介して支持部材１５を固定した後、この支持部材１５に敷居１１を固定する。
【００１２】
尚、敷居１１は、建築躯体３０に敷居１１を設置した後に施工されるモルタル３１並びに床仕上材３２の厚さ（エレベータ乗場の床面高さ）を考慮し、この床仕上材３２の上面と敷居１１の上面とが面一となるように支持部材１５に固定される必要があり、この例では、その高さ調節を支持部材１５の取り付け高さによって調節している。
【００１３】
【発明が解決しようとする課題】
ところで、上記の如く構成されたエレベータ乗場の敷居取付装置１２にあっては、支持部材１５が縦壁面３０ａに固定されている。
【００１４】
このため、支持部材１５を建築躯体３０に固定するためには、作業者が安定状態で固定作業を行うための足場等を昇降路内に設けなければならないという問題が生じていた。
【００１５】
しかも、このような足場等は、その設置空間を確保する必要がある上、さらにその足場を組み付けるための作業空間の確保や事前作業等を必要とし、作業全体が複雑化するといった問題も生じていた。
【００１６】
さらに、近年の建築現場においては、建物全体の工期短縮化のため、所謂三方枠（図６の説明で開示）並びに敷居１１を、エレベータカゴ（図示せず）等の設置とは先行して設置したいという要望があった。
【００１７】
これは、例えば、エレベータの乗場側の工事が昇降路側の工事を挟んで分断されてしまうことに起因するもので、三方枠並びに敷居１１の設置工事が済んでいれば、モルタル３１や床仕上材３２等の乗場側の工事が昇降路側の工事によって長期間分断されることがなく、作業者のスケジュール調整の容易化等により建物全体の工期短縮化を実現することができる。
【００１８】
そして、これらを考慮すると、敷居取付装置１２をエレベータ乗場側から作業できることが好ましい。
【００１９】
図４は、このような問題を解決するため、エレベータ乗場側からの三方枠、敷居及び敷居取付装置の設置工事を可能とするための構成の一例を示し（例えば、特開平５−２７０７７８号公報、特開平６−３４０３９２号公報等参照）、図４（Ａ）は敷居取付装置の要部の縦断面図、図４（Ｂ）は敷居取付装置の平面図である。
【００２０】
図４（Ａ）において、４１はエレベータ乗場、４２は昇降路、４３は乗場４１の出入口、４４は出入口４３を開閉するドアで、その下端には脚４４ａが設けられている。４５は乗場４１を構成する建築躯体で鉄筋４５ａが埋められている。４６は出入口４３の上縁部及び側縁部に配置された三方枠（の一部）である。
【００２１】
また、４７は三方枠４６の下端に配置された敷居である。この敷居４７は出入口４３の下縁部を構成している。敷居４７は、その上面に設けられて脚４４ａをガイドする案内溝４７ａ、塵埃等の異物を落下させるために底面に設けられた貫通孔４７ｂ、及び裏側長手方向に縦通して設けられた縦通溝４７ｃを一体に有している。
【００２２】
４８は敷居４７の長手方向に沿って配設された受け梁である。受け梁４８は、鋼板を折曲して側断面が溝形をなしている。この溝形の一方の立上壁４８ａは縦通溝４７ｃに嵌合され、他方の折曲壁面は敷居４７の下面に当接している。また、受け梁４８の底部の昇降路４２側には貫通孔４８ｂが設けられている。さらに、受け梁４８は、長手方向両端から立ち上げられた固定片４８ｃ、固定片４８ｃに設けられたネジ穴４８ｄ、底部に設けられたネジ穴４８ｅを有している。
【００２３】
４９は建築躯体４５に固定され受け梁４８を支持する取付金具である。取付金具４９は、図４（Ｂ）に示すように、水平基部４９ａと、長手方向両端部がＬ字状に折曲して立ち上げられた垂直取付部４９ｂとからなっている。また、垂直取付部４９ｂには、上下方向の縦長孔４９ｃが設けられており、水平基部４９ａには、アンカーボルト５０が貫通する固定用孔４９ｄが設けられている。５１はアンカーボルト５０の頭部と水平基部４９ａとの間に位置するプレート、５２は垂直取付部４９ｂと固定片４８ｃとを固定するためのボルト、５３は受け梁４８の芯出し用の複数のジャッキボルトである。
【００２４】
このような構成においては、ボルト５２により受け梁４８に取付金具４９を仮固定する。即ち、ボルト５２を取付金具４９の縦長孔４９ｃに挿入した後、受け梁４８の両側に立ち上げられた固定片４８ｃのネジ穴４８ｄに螺入する。次に、基準線（図示せず）と受け梁４８との関係寸法を出し、アンカーボルト穴を建築躯体４５に穿設し、そこにアンカーボルト５０を打ち込んで取付金具４９を固定する。
【００２５】
この後、敷居４７を受け梁４８に乗せ、ジャッキボルト５３により敷居４７の上下方向の水平出しを行う。この作業が終了した後、ボルト５２を締め付け、受け梁４８の芯出し固定が完了する。次いで、敷居４７を受け梁４８の所定の位置に装着し、長手方向に沿って左右に摺動させながら垂直取付部４９ｂに当接させることにより、敷居４７の位置決めを行うとともに三方枠４６等の組み立てを行う。
【００２６】
この際、敷居４７は、昇降路４２側の縁部は、側立上壁４８ａに縦通溝４７ｃを挿入することで受け梁４８に保持され、乗場４１側の縁部は、その底面を受け梁４８の水平面部４８ｆに載置することによって受け梁４８に支持される。
【００２７】
しかしながら、このような構成においては、受け梁４８の両端に位置する取付金具４９の垂直取付部４９ｂと受け梁４８の両端に立ち上げられた固定片４８ｃとをボルト５２で固定することから、ボルト５２の締結作業空間を建築躯体４５の両幅付近に確保する必要があり、必要以上に建築躯体４５の開口幅を広げなければならない上、アンカーボルト５０の締め付け作業方向面と直交する面でのボルト締結作業を強いられることから、敷居取付作業を乗場４１側から確実に作業できるとは言い難かった。
【００２８】
また、敷居４７は、立上壁４８ａへの縦通溝４７ｃの挿入並びに受け梁４８の水平面部４８ｆへの載置という異なった面方向で受け梁４８に支持されることから、例えば、受け梁４８の略全幅に跨る立上壁４８ａを屈曲成形する際の両端付近での高さ寸法の誤差や、立上壁４８ａの高さと縦通溝４７ｃの深さとの相対関係に誤差が生じると、受け梁４８の水平面部４８ｆに敷居４７を密着させることができず、ガタが発生してしまうという問題が生じていた。
【００２９】
しかも、建築躯体４５の縦壁面４５ａから敷居４７の昇降路４２側への張り出し量は、固定用穴４９ｄの長径方向の寸法に依存しているため、その張り出し量を大きく確保することが困難であるという問題が生じていた。
【００３０】
さらに、ジャッキボルト５３が敷居４７によって隠れてしまうため、実際に敷居４７を受け梁４８に装着した状態で水平出しの微調整をすることが困難であるという問題が生じていた。
【００３１】
そこで、本発明は、乗場側からの作業で確実に敷居を設置することができるうえ、敷居の略全面を水平面で保持し得て、成形誤差等に拘らずガタの発生を防止することができるエレベータ乗場の敷居取付装置を提供することを目的とする。
【００３２】
また、本発明は、建築躯体の縦壁面からの昇降路側への敷居の張り出し量を大きく確保することができるエレベータ乗場の敷居取付装置を提供することを目的とする。
【００３３】
さらに、本発明は、敷居を設置したままであっても、敷居の水平出しの調整を容易に行うことができるエレベータ乗場の敷居取付装置を提供することを目的とする。
【００３４】
【課題を解決するための手段】
本発明のエレベータ乗場の敷居取付装置は、エレベータ乗場から昇降路側への奥行き方向に沿って延在する取付金具を備えるエレベータ乗場の敷居取付装置において、前記取付金具は、垂直方向に軸線が延びるアンカーボルトを介して基部側が建築躯体に固定される第一プレート金具と、第一プレート金具の先端側に基端側が重合され、先端側の水平面に敷居の取付面全面が密着した状態で固定ボルトを介して敷居が固定される第二プレート金具と、垂直方向に軸線が延び、第一プレート金具と第二プレート金具の重合部分で締結する連結ボルトと、を備え、第一プレート金具の基端側には、アンカーボルトが貫通すると共に第一プレート金具を任意の位置で固定可能な奥行き方向に沿って長径な長孔が形成され、第一プレート金具と第二プレート金具の重合部分の少なくとも一方には、連結ボルトが貫通すると共に第一プレート金具と第二プレート金具とを任意の位置で締結可能な奥行き方向に沿って長径な長孔が形成されていることを特徴とする。
【００３５】
このようなエレベータ乗場の敷居取付装置は、取付金具の基部側が垂直方向に延びる軸線を有するアンカーボルトを介して建築躯体に固定され、その取付面全面が取付金具の先端側水平面に密着した状態で敷居が固定ボルトを介して取付金具に固定される。
【００３６】
これにより、取付金具並びに敷居が垂直方向に軸線が延びるボルトによって固定され、乗場側から容易に固定作業を行うことができる。
【００３８】
このようなエレベータ乗場の敷居取付装置は、一部が重合状態する第一，第二プレート金具が連結ボルトで締結されると共に、第一プレート金具にアンカーボルトが位置され、第二プレート金具に敷居が位置される。
【００３９】
これにより、建築躯体に第一プレート金具を固定した後、予め敷居を固定した第二プレート金具を第一プレート金具に固定するなど、より一層乗場側からの組み付け作業の容易化を実現することができる。
【００４１】
このようなエレベータ乗場の敷居取付装置は、アンカーボルトが貫通すると共に各プレート金具の連結方向（奥行き方向）に沿って長径な長孔が第一プレート金具に形成され、連結ボルトが貫通すると共に各プレート金具の連結方向に沿って長径な長孔が各プレート金具の重合部分の少なくとも一方に形成される。
【００４２】
これにより、第一プレート金具に対するアンカーボルトの貫通位置が各プレート金具の連結方向で調整可能となる上、各プレート金具の重合部分に対する連結ボルトの締結位置が各プレート金具の連結方向で調整可能となり、結果的に各プレート金具の昇降路側への奥行きを広い範囲で可変することができる。
【００４３】
また、本発明のエレベータ乗場の敷居取付装置は、前記第一プレート金具には、前記アンカーボルトの近傍で且つ該アンカーボルトを挟む位置に垂直方向に軸線が延びる高さ調節用のジャッキボルトが設けられていることを特徴とする。
【００４４】
このようなエレベータ装置の敷居取付装置は、アンカーボルトの近傍で且つアンカーボルトを挟む位置の第一プレート金具に垂直方向に軸線が延びる高さ調節用のジャッキボルトが設けられる。
【００４５】
これにより、第二プレート金具に敷居を固定したままこの敷居に邪魔されること無く敷居の水平出しを容易に調整することができる。
また、本発明のエレベータ乗場の敷居取付装置において、第一プレート金具と第二プレート金具の重合部分の他方には、連結ボルトが貫通すると共に第一プレート金具と第二プレート金具とを任意の位置で締結可能なネジ孔が奥行き方向に沿って複数配列されていることを特徴とする。
【００４６】
【発明の実施の形態】
次に、本発明のエレベータ乗場の敷居取付装置の実施の形態を図面に基づいて説明する。
【００４７】
図１（Ａ）はエレベータ乗場の敷居取付装置の縦断面図、図１（Ｂ）は取付金具の平面図、図２はエレベータ乗場の敷居取付装置の斜視図である。
【００４８】
図２において、５１はエレベータ乗場、５２はエレベータ（図示せず）の昇降路、５３は乗降口５４を形成する三方枠、５５はエレベータ乗場５１を構成する建築躯体、５６は三方枠５３の間に位置するように建築躯体５５に設けられて敷居５７を保持する一対の敷居取付装置である。
【００４９】
（敷居取付装置５６）
敷居取付装置５６は、図１（Ａ）に示すように、エレベータ乗場５１側から昇降路５２側に向かって延在する取付金具５８と、取付金具５８を建築躯体５５に固定するアンカーボルト５９と、取付金具５８に敷居５７を固定する固定ボルト６０と、取付金具５８を建築躯体５５の平面部５５ａから水平に離間させる一対のジャッキボルト６１とを備えている。
【００５０】
（取付金具５８の詳細構造）
取付金具５８は、図１（Ｂ）に示すように、建築躯体５５側に位置する平板状の第一プレート金具６２と、第一プレート金具６２の先端側に基部側が重合された平板状の第二プレート金具６３と、各プレート金具６２，６３を重合部分で連結する連結ボルト６４とを備えている。
【００５１】
（第一プレート金具６２）
第一プレート金具６２の基部側には、アンカーボルト５９が貫通する長孔６２ａと、ジャッキボルト６１のネジ部６１ａが螺合する一対の雌ネジ孔６２ｂ，６２ｃとが形成されている。また、第一プレート金具６１の先端側には連結ボルト６４のネジ部６４ａを選択的に螺合させる複数の雌ネジ孔６２ｄ，６２ｅ，６２ｆが形成されている。
【００５２】
長孔６２ａは、奥行き方向に長径に設定されており、これにより建築躯体５５の平面部５５ａに対するアンカーボルト５９の埋設位置、並びに、アンカーボルト５９から第一プレート金具６２の先端までの長さを調整することができる。
【００５３】
雌ネジ孔６２ｄ，６２ｃは、長孔６２ａを対角線上で挟むように長孔６２ａの近傍に形成されており、これによりアンカーボルト５９の近傍にジャッキボルト６１を位置させることができる。
【００５４】
雌ネジ孔６２ｄ，６２ｅ，６２ｆは、第一プレート金具６２の先端側に向かって配列されており、連結ボルト６４の螺合位置を選択することで第二プレート金具６３の基部側との重合量、即ち、各プレート金具６２，６３の全体の長さを複数段階で調整することができる。
【００５５】
（第二プレート金具６３）
第二プレート金具６３の基部側には、連結ボルト６４のネジ部６４ａが貫通する長孔６３ａが形成されている。また、第二プレート金具６３の先端側には、固定ボルト６０のネジ部６０ａが貫通する貫通穴６３ｂが形成されている。
【００５６】
（連結ボルト６４）
連結ボルト６４は、ワッシャー６５及びスプリングワッシャー６６を介装した状態で第二プレート金具６３の長孔６３ａを貫通した後、そのネジ部６４ａを雌ネジ孔６２ｄ，６２ｅ，６２ｆの何れかと螺合させることにより、第一プレート金具６２と第二プレート金具６３とを連結する。この際、ネジ部６４ａの雌ネジ孔６２ｄ，６２ｅ，６２ｆの螺合位置並びに長孔６３ａの貫通位置により建築躯体５５の縦壁面５５ｂからのオーバーハング量、即ち、敷居５７の昇降路５２側への張り出し位置を調整することができる。尚、張り出し量は雌ネジ孔６２ｄ，６２ｅ，６２ｆの螺合位置で段階的に、長孔６３ａの貫通位置により微調整的に行われる。
【００５７】
（敷居５７）
敷居５７には、その底面が第二プレート金具６３の上面６３ｃと密着する取付面としている。また、敷居５７には、長手方向両端に跨り、固定ボルト６０のネジ部６０ａが取付面から突出するように頭部６０ｂを保持する断面略凸字形状の保持溝５７ａが形成されている。尚、保持溝５７ａは、一端にのみ開放し、所定位置、例えば、他端側に位置する取付金具５８の固定ボルト６０が位置する部位程度まで延在するものでも良い。また、敷居５７には、上方に開放するドア案内溝５７ｂが略全幅に跨って形成されている。さらに、敷居５７には、三方枠５３の両下端と螺合してこの三方枠５３を敷居５７で保持する保持ボルト６７を保持する断面略凸字形状の保持溝５７ｃが形成されている。
【００５８】
（アンカーボルト５９）
アンカーボルト５９は、その先端部を建築躯体５５の平面部５５ａに埋設することでジャッキボルト６１との協働で取付金具５８を平面部５５ａに固定する。即ち、ジャッキボルト６１の先端が平面部５５ａに当接することで平面部５５ａから取付金具５８を略水平状態で離間させ、これにより敷居５７の水平出し（エレベータ乗場５１に対する高さ調整）を可能とするものであることから、ジャッキボルト６１は第一プレート金具６２を平面部５５ａから離間させる方向を作用方向とする。これに対して、アンカーボルト５９は、第一プレート金具６２を接近させる方向に作用させる。従って、アンカーボルト５９の加重を、このアンカーボルト５９の近傍に配置されたジャッキボルト６１の加重（反作用）により第一プレート金具６２の広い範囲で作用させることができる。また、アンカーボルト５９は、その軸線方向が上下方向に沿っており、その上方は乗降口５４となるために、開放された（従来技術で説明したモルタル３１や床仕上材３２等の施工前）状態であることから、エレベータ乗場５１側からの締結（埋設）作業を容易に行うことができる。
【００５９】
（固定ボルト６０）
固定ボルト６０は、敷居５７からネジ部６０ａを突出させた状態で、このネジ部６０ａを貫通穴６３ｂに貫通させた後、ネジ部６０ａにワッシャー６８及びスプリングワッシャー６９を介装した状態でナット７０を螺合することで第二プレート金具６３に敷居５７を固定することができる。
【００６０】
（ジャッキボルト６１）
ジャッキボルト６１は、その先端を平面部５５ａへ当接させた状態で軸線方向に沿って取付金具５８を進退動させることができる。また、ジャッキボルト６１は、その軸線方向が上下方向に沿っており、アンカーボルト５９と同様に、その上方は乗降口５４となるために、開放された（従来技術で説明したモルタル３１や床仕上材３２等の施工前）状態であることから、敷居５７に邪魔されること無く敷居５７を取付金具５８に取り付けたままの状態で、平面部５５ａからの取付金具５８の高さ調節（水平状態維持を含む）作業、即ち、敷居５７の水平出し調整を容易に行うことができる。
【００６１】
上記の構成において、敷居５７を設置するには、予め、敷居５７の所定位置に固定ボルト６０を位置させた状態で、ネジ部６０ａにワッシャー６８及びスプリングワッシャー６９を介装した状態でナット７０を螺合することで第二プレート金具６３に敷居５７を固定する。
【００６２】
一方、建築躯体５５の平面部５５ａに、アンカーボルト５９を埋設し、第一プレート金具６２を平面部５５ａに固定する。また、これと共に、ジャッキボルト６１により第一プレート金具６２の高さを調節する。
【００６３】
次に、第一プレート金具６２の先端側に、敷居５７を保持した第二プレート金具６３の基部側を重合させ、敷居５７の縦壁面５５ｂからの張り出し量に応じて連結ボルト６４により各プレート金具６２，６３を連結する。
【００６４】
また、アンカーボルト５９の長孔６２ａへの貫通位置と連結ボルト６４の長孔６３ａへの貫通位置により、取付金具５８の長さ並びに敷居５７の張り出し量の微調整を行う。
【００６５】
さらに、ジャッキプレート６１の第一プレート金具６２の底面からの突出量により、敷居５７の高さ調整等の水平出しを行う。
【００６６】
この状態から、敷居５７に保持ボルト６７を介して三方枠５３を固定する。
【００６７】
尚、上述した敷居５７の先行取り付けが終了した後には、乗場廻りの施工工事を実施することができると共に、この乗場廻りの施工工事とは独立して上記従来技術と同様に、敷居取付装置１２（図２に支持部材１５のみ図示）を介して敷居５７が建築躯体５５の縦壁面５５ｂに固定される。
【００６８】
ところで、上記実施の形態においては、第二プレート金具６３の上面６３ｃに敷居５７を設けたものを開示したが、図３に示すように、敷居５７を第二プレート金具６３の底面６３ｄに設けることも可能である。この際、敷居５７の上面である取付面の略全面が第二プレート金具６３の底面６３ｄに密着することは言うまでも無い。尚、図３において、上記実施の形態と同一の構成又は作用を有する部材には同一の符合を付してその説明を省略する。
【００６９】
【発明の効果】
本発明のエレベータ乗場の敷居取付装置にあっては、以上説明したように構成したことにより、乗場側からの作業で確実に敷居を設置することができるうえ、敷居の略全面を水平面で保持し得て、成形誤差等に拘らずガタの発生を防止することができる。
【００７０】
また、本発明は、建築躯体の縦壁面からの昇降路側への敷居の張り出し量を大きく確保することができる。
【００７１】
さらに、本発明は、敷居を設置したままであっても、敷居の水平出しの調整を容易に行うことができる。
【図面の簡単な説明】
【図１】  本発明の実施の形態１に係わるエレベータ乗場の敷居取付装置を示し、（Ａ）はエレベータ乗場の敷居取付装置の縦断面図、（Ｂ）は取付金具の平面図である。
【図２】  本発明の実施の形態１に係わるエレベータ乗場の敷居取付装置の斜視図である。
【図３】  本発明の実施の形態１に係わるエレベータ乗場の敷居取付装置の変形例を示し、エレベータ乗場の敷居取付装置の縦断面図である。
【図４】  従来のエレベータ乗場の敷居取付装置を示し、（Ａ）は敷居取付装置の要部の縦断面図、（Ｂ）は敷居取付装置の平面図である。
【図５】  他の従来の敷居取付装置を示す要部の拡大縦断面図である。
【図６】  他の従来のエレベータ乗場の敷居取付装置を示すエレベータ乗場の概略構成の背面図である。
【符号の説明】
５５  建築躯体、５６  敷居取付装置、５７  敷居、５８  取付金具、５９  アンカーボルト、６０  固定ボルト、６２  第一プレート金具、６３  第二プレート金具、６３ｃ  上面（先端側水平面）、６４  連結ボルト。
【図１】
0003839742.tif 000002
【図２】
0003839742.tif 000003
【図３】
0003839742.tif 000004
【図４】
0003839742.tif 000005
【図５】
0003839742.tif 000006
【図６】
0003839742.tif 000007